(57)【特許請求の範囲】
【請求項１】
断熱箱体と、この断熱箱体の内部に構成した冷蔵室の背面に設け、冷気を下から上に向かって供給する冷蔵室ダクトと、この冷蔵室ダクトの内壁を構成し、冷気通路を形成した断熱部と、前記冷蔵室内に設けた複数個の棚板と、前記冷蔵室ダクトに設け、冷蔵室内を照明する照明手段とを備え、この照明手段は、前記複数個の棚板に沿って、複数個の半導体発光素子を配置し、前記冷蔵室ダクトは、冷気通路をＹの字状に設け、その上端に上部冷気吹き出し口を設け、この上部吹き出し口と前記Ｙの字状の冷気通路の分岐した部分の間に照明手段を設け、前記Ｙの字状の冷気通路の下部に絞り部で構成された機械式ダンパにより通路断面積を調整する冷蔵室温調操作部を設け、前記照明手段と前記冷蔵室温調操作部は前記冷蔵室ダクトと一体化したことを特徴とする冷蔵庫。
【請求項２】
照明手段は、冷蔵室ダクトに設けるときに断熱部の凹みに配置し、冷蔵室ダクト内に流入する冷気と接触しないようにした請求項１に記載の冷蔵庫。
【請求項３】
断熱箱体に設けた冷凍室は、冷凍室温度を調整する冷凍室温調操作部を、冷蔵室ダクトの下部に配置した請求項１または２に記載の冷蔵庫。
【請求項４】
冷気ダクトの側部に設けた複数個の冷気吹き出し口は、冷蔵室内に上下複数段に設けた複数個の棚板の天井に沿って冷気を吹き出すようにした請求項１〜３のいずれか１項に記載の冷蔵庫。
【請求項５】
冷蔵室ダクトは、下部に冷気通路と隔離され、冷蔵室内を循環する冷気の戻り口を設けた請求項１〜４のいずれか１項に記載の冷蔵庫。
【発明の詳細な説明】
【技術分野】
【０００１】
本発明は、冷蔵庫の冷蔵室に設けたダクトに庫内照明灯を配置する構造に関するものである。
【背景技術】
【０００２】
従来、この種の冷蔵庫は、冷蔵室の背面に設けたダクトの一部に庫内照明灯が設けられている（例えば、特許文献１参照）。
【０００３】
図６は、前記広報に記載された従来の冷蔵庫の部分断面を示すものである。図６に示すように、冷蔵庫１の庫内２上部に配置され、冷却器３とファン４で形成した冷気５により冷却する冷蔵室６と、この冷蔵室６の背面部７に設けた庫内照明体８と、この庫内照明体８の周囲の冷蔵室６の背面部７に設け、前記ファン４からの冷気５を導入して一方向に流下させたダクト９と、このダクト９の流下方向に沿ってダクト９から冷蔵室６内に冷気５を吹き出す複数個の吹出口１０と、前記冷蔵室内６を循環した冷気５を冷却器３側に戻すように、冷蔵室６の底部１１の一側に吸込み口１２を設けている。また、庫内照明体８は、庫内灯１３と、その庫内灯１３の前面を覆って光を拡散するようにカバー１４を設けている。庫内灯１３は、白熱灯または発光ダイオード（ＬＥＤ）を複数個使用するようにしている。また、冷蔵室６内に複数個の棚１５を設けるようにしている。
【先行技術文献】
【特許文献】
【０００４】
【特許文献１】特開２００９−２２２３４０号公報
【発明の概要】
【発明が解決しようとする課題】
【０００５】
しかしながら、前記従来の構成では、庫内照明体８は、庫内灯１３をカバー１４により、例えば指向性の強いＬＥＤ光を拡散する構成のため、冷蔵室６に複数個の棚１５を設けると、光が拡散しすぎて棚１５の位置により庫内の食品等が見えづらいという課題を有していた。
【０００６】
また、冷気５を一方向に向かって逆Ｕ字状に流下させたダクト９を構成しているため、冷気５が上昇する側と流下する側では、複数個の吹出口１０から吹き出す冷気５の吹き出し方向が異なり、冷蔵室６内の温度分布が不均一になるという課題を有していた。
【０００７】
本発明は、前記従来の課題を解決するもので、冷蔵庫の庫内照明体の配置により目的物の認識を容易に行うとともに庫内照明体の周囲に設けたダクトの冷気の吹き出しの均一化を行うことを目的にする。
【課題を解決するための手段】
【０００８】
前記従来の課題を解決するために、本発明の冷蔵庫は、断熱箱体と、断熱箱体の内部に構成した冷蔵室の背面に設け、冷気を下から上に向かって供給する冷蔵室ダクトと、冷蔵室ダクトの内壁を構成し、冷気通路を形成した断熱部と、冷蔵室内に設けた複数個の棚板と、冷蔵室ダクトに設け、冷気通路と隔離して配置した照明手段と、照明手段は、複数個の棚板に沿って、複数個の半導体発光素子（ＬＥＤ）を配置したものである。
【０００９】
これによって、冷蔵室の複数個の棚に置かれた収納物に各半導体発光素子からの光が照射され、収納物の認識と取り出しを容易に行い、冷蔵室ダクトは、冷気を同一方向に供給し、冷気の吹き出し状態を統一して、冷気の吹き出しの均一化を図ることで冷蔵室内の温度分布を均一にするようにしている。
【発明の効果】
【００１０】
本発明の冷蔵庫は、冷蔵室ダクトに設けた照明手段により、収納物の認識と取り出しを容易にすることができる。
【図面の簡単な説明】
【００１１】
【図１】本発明の実施の形態１における冷蔵庫の断面図
【図２】本発明の実施の形態１における冷蔵庫の要部断面図
【図３】本発明の実施の形態２における冷蔵庫の要部断面図
【図４】本発明の実施の形態３における冷蔵庫の要部断面図
【図５】本発明の実施の形態４における冷蔵庫の要部断面図
【図６】従来の冷蔵庫の部分断面図
【発明を実施するための形態】
【００１２】
第１の発明は、断熱箱体と、この断熱箱体の内部に構成した冷蔵室の背面に設け、冷気
を下から上に向かって供給する冷蔵室ダクトと、この冷蔵室ダクトの内壁を構成し、冷気通路を形成した断熱部と、前記冷蔵室内に設けた複数個の棚板と、前記冷蔵室ダクトに設け、冷蔵室内を照明する照明手段とを備え、この照明手段は、前記複数個の棚板に沿って、複数個の半導体発光素子を配置し、前記冷蔵室ダクトは、冷気通路をＹの字状に設け、その上端に上部冷気吹き出し口を設け、この上部吹き出し口と前記Ｙの字状の冷気通路の分岐した部分の間に照明手段を設け、前記Ｙの字状の冷気通路の下部に絞り部で構成された機械式ダンパにより通路断面積を調整する冷蔵室温調操作部を設け、前記照明手段と前記冷蔵室温調操作部は前記冷蔵室ダクトと一体化したことにより、冷蔵室の複数個の棚に置かれた収納物に各半導体発光素子からの光が照射され、収納物の認識と取り出しを容易にすることができる。また、冷蔵室ダクトは、冷気を同一方向に供給し、冷気の吹き出し状態を統一して、冷気の吹き出しの均一化を図ることで、冷蔵室内の温度分布を均一にすることができる。また、照明手段を設けることで冷蔵室内に不規則な突出部分を設ける必要がなくなり、冷蔵室内の冷気の循環を整流して、収納物を均一に冷却することができる。また、冷蔵室に冷蔵室ダクトを装着する時に合わせて一体で照明手段に加えて冷蔵室温調操作部も装着することになり、冷蔵室温調操作部の取り付けによるシール性能の低下の防止と冷蔵室ダクトの組み立て性の向上を行うことができる。
【００１５】
第２の発明は、特に、第１の発明の照明手段は、冷蔵室ダクトに設けるときに断熱部の凹みに配置し、冷蔵室ダクト内に流入する冷気と接触しないようにしたことにより、照明手段の熱が冷気の対流で放熱しなくなり消費電力の増加を防止することができる。
【００１７】
第３の発明は、特に、第１または第２の発明の断熱箱体に設けた冷凍室は、冷凍室温度を調整する冷凍室温調操作部を、冷蔵室ダクトの下部に配置したことにより、冷蔵室に冷蔵室ダクトを装着する時に合わせて一体で冷凍室温調操作部も装着することになり、冷凍室温調操作部の取り付けによるシール性能の低下の防止と冷蔵室ダクトの組み立て性の向上を行うことができる。
【００１８】
第４の発明は、特に、第１〜第３のいずれか１つの発明の冷気ダクトの側部に設けた複数個の冷気吹き出し口は、冷蔵室内に上下複数段に設けた複数個の棚板の天井に沿って冷気を吹き出すようにしたことにより、冷気が棚板の天井に沿って拡大することになり、下部の棚板上にある収納物の全体をもれなく冷却することができる。
【００１９】
第５の発明は、特に、第１〜第４のいずれか１つの発明の冷蔵室ダクトは、下部に冷気通路と隔離され、冷蔵室内を循環する冷気の戻り口を設けたことにより、冷蔵室内に流入する冷気と戻り口に流入した冷気との接触を防止することになり、冷蔵室内に流入する冷気の温度上昇を防止することができる。
【００２０】
以下、本発明の実施の形態について図面を参照しながら説明する。なお、本実施の形態によって本発明が限定されるものではない。
【００２１】
（実施の形態１）
図１は、本発明の第１の実施の形態における冷蔵庫の構成を示す正面の断面図、図２は、同実施の形態の冷蔵庫の側面の断面図である。
【００２２】
図１、図２において、２０は、冷蔵庫本体で、樹脂製の内箱２１と鋼板製の外箱２２の間に発泡断熱材２３を充填し、断熱箱体２４を構成している。発泡断熱材２３は、ウレタン発泡断熱材で構成されている。２５は、断熱仕切壁で、断熱箱体２４を上下に仕切っている。２６は、冷蔵室、２７は、冷凍室である。冷蔵室２６前面開口部には、ヒンジ式の冷蔵室ドア２８を構成し、冷凍室２７の前面開口部には、ヒンジ式または引き出し式の冷凍室ドア２９を構成している。
【００２３】
また、３０は、冷凍室２７後方に構成された冷却器室で、冷凍室２７と冷却器室３０は、冷却器室カバー３１で仕切られている。３２は、冷却器で、その下方に除霜装置３３を配置している。除霜装置３３は、除霜用のヒータと除霜水の受け皿で構成している。３４は、送風機で、直流式のボックス型の軸流ファンを用いている。
【００２４】
送風機３４は、断熱仕切壁２５内の断熱材３６に圧入支持される。このため、送風機３４は、その主要部分を断熱仕切壁２５の圧入部３５内に収容した構成となる。断熱材３６は、ポリスチレン系樹脂（発泡スチロール）で構成されている。３７は、断熱仕切壁２５の外部を構成する樹脂部で、３７ａは、下板、３７ｂは、上板である。
【００２５】
下板３７ａは、冷凍室２７の天井を構成し、上板もうけて３７ｂは、冷蔵室２６の底部を構成するようにしている。断熱仕切壁２５には、冷蔵室ダクト４０の下部後方に設けられた断熱仕切壁開口２５ａとその下方に戻り通路２５ｂを設けている。
【００２６】
３８は、冷蔵室２６の背面に構成された化粧カバーで、この化粧カバー３８の内側にポリスチレン系樹脂（発泡スチロール）で構成した断熱部３９を構成している。この化粧カバー３８と断熱部３９で冷蔵室ダクト４０を構成している。断熱部３９は、内箱２１との間に送風機３４から吐出される冷気４１を上方に導く冷気通路４２を構成している。冷気通路４２は、冷蔵室２６の背面にＹの字状の通路形状を構成し、上方で冷気４１が分岐して供給するようにしている。
【００２７】
冷気通路４２の下方には、絞り部４２ａが設けられ、冷蔵室２６と冷凍室２７への冷気４１の配分を決めるように構成している。冷蔵室ダクト４０は、冷蔵室２６の背面から突出した形状で設けられ、化粧カバー３８の上方の複数個の上部冷気吹き出し口４３と、側部の複数個の冷気吹き出し口４４から冷蔵室２６の内壁の天井や側部に向かって冷気４１を吹き出すようにしている。
【００２８】
冷蔵室ダクト４０と断熱仕切壁２５の結合は、冷蔵室ダクト４０の断熱部３９をインロウの構成で、送風機３４が収容された圧入部３５の開口に差し込む形で装着するようにしている。この装着により、圧入部３５も冷気通路４２の一部を構成するようにしている。インロウの構成の接触部分には、シール材（図示なし）を設けて、冷気４１の漏れを防止するようにしている。
【００２９】
４５は、冷蔵室２６内の上下に設けた複数個の棚板、４６は、冷蔵室２６の複数個の棚板４５の最下段の棚板４５の下方に設けた冷蔵室ケース（野菜ケース等）である。また、４７は、冷凍室２７に設けた複数個のケースである。
【００３０】
４８は、冷蔵室ダクト４０に設けた照明手段で、照明手段４８は、冷蔵室ダクト４０に設けるときに断熱部３９の凹み４９に配置し、冷蔵室ダクト４０内に流入する冷気４１と接触しないようにしている。この凹み４９は、Ｙの字状の冷気通路４２の分岐した部分の上方と上部吹き出し口４３との間に設け、化粧カバー３８の開口５０を介して、照明手段４８により、冷蔵室２６内の照明を行うようにしている。
【００３１】
照明手段４８は、複数個の半導体発光素子（ＬＥＤ）５１で構成され、このそれぞれの半導体発光素子５１は、冷蔵室２６内の複数個の棚板４５に沿って配置し、棚４５間の照明を行うようにしている。この場合の複数個の棚４５の配置は、標準的な配置であって例えば冷蔵庫本体２０の出荷時の配置を想定している。
【００３２】
５２は、化粧カバー３８の開口５０を覆うように設けた透明または半透明の樹脂材料で構成された照明手段４８の照明カバーで、この照明カバー５２により、指向性の強い半導体発光素子５１の光を拡散するようにして、棚４５間の広範囲の照明を行うようにしている。
【００３３】
照明カバー５２は、半導体発光素子５１の光を拡散する程度を棚４５間の照射角度に拡散するように、指向性の強い半導体発光素子５１の光を屈折するようにしている。また、この照明カバー５２により、凹み４９内に冷蔵室２６を循環する冷気４１が侵入しないようにしている。照明手段４８の配線は、冷蔵室ダクト４０の断熱部３９内を通り結線するようにしている（図示なし）。
【００３４】
５３は、冷蔵庫本体２０の下部後方に配置した機械室で、圧縮機５４を設けている。
【００３５】
５５は、冷蔵室ドア２８と冷凍室ドア２９の内面の外周部に装着したガスケットで、このガスケット５５を断熱箱体２４に押し付けて、シールを行うようにしている。
【００３６】
５６は、冷凍室２７の冷凍室ドア２９の内面から突出する突出部で、冷凍室ドア２９の内面の周壁の全体にわたって設けられている。この突出部５６と内箱２１または断熱仕切壁２５で、略水平の空間５７を構成し、この空間５７の沿面距離を拡大することで冷気４１の空間５７への侵できる入量を減少するようにしている。同様に冷蔵室２６の冷蔵室ドア２８の内面から突出する突出部５８を設け、内箱２１または断熱仕切壁２５で空間５９を構成して、この空間５９の沿面距離を拡大することで冷気４１の空間５９への侵入量を減少するようにしている。
【００３７】
以上のように構成された冷蔵庫において、その動作、作用を説明する。
【００３８】
冷却器３２で冷却されて生じる冷気４１は、送風機３４により冷蔵室２６と冷凍室２７に分配され供給するようにしている。冷蔵室２６には、冷蔵室ダクト４０の上部冷気吹き出し口４３と冷気吹き出し口４４から冷気４１が供給され、冷蔵室２６内を均一に循環するようにしている。送風機３４により供給する冷気４１の一部は、冷却器室３０から冷却器室カバー３１の開口部分を介して、冷凍室２７内を循環するようにしている。吐出された冷気４１は、冷蔵室２６と冷凍室２７を冷却した後に、冷蔵室２６では、冷蔵室ダクト４０の下部後方に設けられた断熱仕切壁開口２５ａから戻り通路２５ｂを通って冷却器３２に戻るようにしている。また、冷凍室２７では、冷却器室カバー３１の下部の開口部分から冷却器３２に戻るようにしている。
【００３９】
冷蔵室２６と冷凍室２７に供給する冷気４１の風量コントロールは、冷蔵室ダクト４０の冷気通路４２の下部に設けた絞り部４２ａで行い、この絞り部４２ａにより冷却器室３０からファン３４を介して供給する冷気４１の冷蔵室ダクト４０に供給する割合を指示するようにしている。この絞り部４２ａは、固定開口または手動ダンパまたは機械式、電動式ダンパで構成している。この風量に対して、冷蔵室２６と冷凍室２７の温度調節は、温度検知手段（図示なし）の値を元に圧縮機５４をオンオフするか出力ダウンするかして行うようにしている。また、冷蔵室ダクト４０の上部冷気吹き出し口４３からの冷気４１の風量を機械式ダンパ等で冷蔵室２６内の温度を検知しながら調節することも可能である。
【００４０】
照明手段４８は、断熱部３９の凹み部４９に設けることで、冷気通路４２内の冷気４１と接触することが無く、熱交換や冷気４１の流れの乱れを起こさないようにしている。また、Ｙの字状の冷気通路４２の分岐部分の上方に配置し、冷気通路４２を妨げない部分を利用して、冷蔵室ダクト４０に一体化して着脱を可能にしている。
【００４１】
また、照明手段４８は、複数個の半導体発光素子５１で構成し、それぞれの半導体発光素子５１を棚４５間の照明を向上するように配置し、また照明カバー５２により、光を拡散して、広範囲の照明を行なうようにしている。
【００４２】
内箱２１を上下に仕切る断熱仕切壁２５は、後方に設けた挿入部分に送風機３４を圧入し、支持する。この送風機３４は、軸流ファンであり、その外周部には、緩衝材を巻いて挿入部分との隙間を詰めている。圧入支持された送風機３４は、断熱仕切壁２５から独立して送風機３４を上方に取り除くことで、送風機３４の故障等のサービスを可能としている。
【００４３】
また、断熱箱体２４の組み立て工程では、送風機３４を取り付けた状態で断熱仕切壁２５を内箱２１の所定位置に仮固定し、外箱２２と内箱２１間に発泡断熱材２３（発泡ウレタン）を充填し、断熱仕切壁２５の側部にあたる内箱２１の部分から発泡断熱材２３を漏らすことで、断熱仕切壁２５は、所定の位置に固定される。このようにして各組み立て工程を経て、図１、図２に示す冷蔵庫本体２０が完成する。
【００４４】
以上のように、本実施の形態においては、断熱箱体２４と、断熱箱体２４の内部に構成した冷蔵室２６の背面に設け、冷気４１を下から上に向かって供給する冷蔵室ダクト４０と、冷蔵室ダクト４０の内壁を構成し、冷気通路４２を形成した断熱部３９と、冷蔵室２６内に設けた複数個の棚板４５と、冷蔵室ダクト４０に設け、冷蔵室２６内を照明する照明手段４８とを備え、照明手段４８は、複数個の棚板４５に沿って、複数個の半導体発光素子５１を配置したので、冷蔵室２６の複数個の棚４５に置かれた収納物に各半導体発光素子５１からの光が照射され、収納物の認識と取り出しを容易にすることができる。
【００４５】
また、冷蔵室ダクト４０は、冷気４１を同一方向に供給し、冷気４１の吹き出し状態を統一して、冷気４１の吹き出しの均一化を図ることで、冷蔵室２６内の温度分布を均一にすることができる。
【００４６】
また、本実施の形態では、冷蔵室ダクト４０は、冷蔵室２６の背面から突出した側部に設けた複数個の冷気吹き出し口４４から、冷蔵室２６の内壁の側部に向かって冷気４１を供給するようにしたので、冷蔵室２６の内壁に沿って冷気４１が移動し、収納物を包み込むような流れを形成することとなり、収納物を均一に冷却することができる。
【００４７】
また、本実施の形態では、冷蔵室ダクト４０は、冷気通路４２をＹの字状に設け、その上端に上部冷気吹き出し口４３を設け、上部吹き出し口４４とＹの字状の冷気通路４２の分岐した部分の間に照明手段４８を設けたので、照明手段４８を設けることで冷蔵室２６内に不規則な突出部分を設ける必要がなくなり、冷蔵室２６内の冷気の循環を整流して、収納物を均一に冷却することができる。
【００４８】
また、本実施の形態では、照明手段４８は、冷蔵室ダクト４０に設けるときに断熱部３９の凹み４９に配置し、冷蔵室ダクト４０内に流入する冷気４１と接触しないようにしたので、照明手段４８の熱が冷気４１の対流で放熱しなくなり消費電力の増加を防止することができる。
【００４９】
また、本実施の形態では、照明手段４８は、照明カバー５２により光を拡散するので、
指向性の強い半導体発光素子５１の光でも広範囲に照明することができ、収納物の判別を容易にすることができる。
【００５０】
また、本実施の形態では、照明手段４８は、照明カバー５２により光を拡散する程度を調整して、指向性の強い半導体発光素子５１の光でも棚４５間を主に照明することができ、光が分散し過ぎないようにして、効率よく収納物の判別を容易にすることができる。
【００５１】
また、本実施の形態では、また、本実施の形態では、照明手段４８は、照明カバー５２により光を拡散するので、指向性の強い半導体発光素子５１の光でも分散され、目に対して残像が残ることを防止することができる。
【００５２】
また、本実施の形態では、冷蔵室ダクト４０に照明手段４８を一体化したので、冷蔵室ダクト４０の組み立てやメンテナンスを容易に行うことができる。
【００５３】
また、本実施の形態では、冷凍室２７の冷凍室ドア２９内面から突出した突出部５６と内箱２１で略水平の空間５９を構成したことにより、この空間５７の沿面距離を調整することで冷気４１の空間５７への侵入量を減少するようにし、消費電力の増加を防止することができる。
【００５４】
また、本実施の形態では、冷蔵室２６の冷蔵室ドア２８内面から突出した突出部５６と内箱２１で略水平の空間５９を構成したことにより、この空間５９の沿面距離を調整することで冷気４１の空間５７への侵入量を減少するようにし、消費電力の増加を防止することができる。
【００５５】
また、本実施の形態では、断熱仕切壁２５は、後方に設けた挿入部分に送風機３４を圧入し、支持しているので、冷蔵室ダクト４０を取り外すことで、断熱仕切壁２５から独立して送風機３４を上方に取り除くことで、容易に送風機３４の故障等のサービスを可能とすることができる。
【００５６】
（実施の形態２）
図３は、本発明の第２の実施の形態における冷蔵庫の構成を示す要部断面図である。
【００５７】
図３において、冷蔵室ダクト４０は、下部に冷蔵室２６の温度調節を行う冷蔵室温調操作部６０を設けている。冷蔵室温調操作部６０は、Ｙの字状の冷気通路４２の下部に設けた絞り部６１で構成され、固定開口または手動ダンパまたは機械式、電動式ダンパで冷気通路４２の通路断面積を調整するようにしている。
【００５８】
以上のように構成された冷蔵庫において、その動作、作用を説明する。
【００５９】
絞り部６１の通路断面積の大きさによりファン３４で供給する冷気４１の冷蔵室ダクト４０側への風量を指示するようにしている。使用者は、手動ダンパの場合は、絞り部６１の通路断面積を変えて冷蔵室２６の冷え方を調節するようにしている。この風量に対して、冷蔵室２６と冷凍室２７の温度調節は、温度検知手段（図示なし）の値を元に圧縮機５４をオンオフするか出力ダウンするかして行うようにしている。
【００６０】
以上のように、本実施の形態においては、冷蔵室２６に冷蔵室ダクト４０を装着する時に合わせて一体で冷蔵室温調操作部６０も装着することになり、冷蔵室温調操作部６０の単独の取り付けによるシール性能の低下の防止と冷蔵室ダクト４０の組み立て性の向上を行うことができる。
【００６１】
また、冷蔵室２６の温度調節を手動ダンパにより絞り部６１の通路面積を調節する方式で簡素化したので、コストダウンを図ることができる。
【００６２】
なお、冷蔵室ダクト４０の上部冷気吹き出し口４３からの冷気４１の風量を機械式ダンパ等で冷蔵室２６内の温度を検知しながら調節することも可能である。
【００６３】
（実施の形態３）
図４は、本発明の第３の実施の形態における冷蔵庫の構成を示す要部断面図である。
【００６４】
図４において、断熱箱体２４に設けた冷凍室２７は、冷凍室２７の温度を調整する冷凍室温調操作部６２を、冷蔵室ダクト４０の下部に配置している。冷凍室温調操作部６２は、
ボリューム等の抵抗器で構成し、冷蔵室ダクト４０の冷気通路４２と独立した部分の断熱部３９の一部を利用して装着し、その調節ツマミ６３を冷蔵室２６内に臨ませている。温度検知部６４は、冷凍室２７内の冷気４１の通過する位置の例えば、送風機３４により供給する冷気４１の一部は、冷却器室３０から冷却器室カバー３１の開口部分を介して、冷凍室２７に流入するので、その近傍に設置するようにしている。
【００６５】
以上のように構成された冷蔵庫において、その動作、作用を説明する。
【００６６】
冷凍室２７の温度調節は、温度検知部６４の値を元に圧縮機５４をオンオフするか出力ダウンするかして行うようにしている。使用者は、冷蔵室ダクト４０に設けられた調節ツマミ６３を調節することで、冷凍室温度操作部６２に指示を与え、冷凍室２７の冷え方をと調節するようにしている。
【００６７】
以上のように、本実施の形態においては、冷蔵室２６に冷蔵室ダクト４０を装着する時に合わせて一体で冷凍室温調操作部６２も装着することになり、冷凍室温調操作部６２の単独の取り付けによるシール性能の低下の防止と冷蔵室ダクト４０の組み立て性の向上を行うことができる。
【００６８】
また、冷蔵室２６内の調節ツマミ６３で冷凍室２７の温度調整を行うので、温度の低い冷凍室２７を開放しないようにして、冷凍室２７の温度上昇防止し消費電力の低減を行うことができる。
【００６９】
（実施の形態４）
図５は、本発明の第４の実施の形態における冷蔵庫の構成を示す要部断面図である。
【００７０】
図５において、冷蔵室ダクト４０は、下部に冷気通路４２と隔離され、冷蔵室２６内を循環する冷気４１の戻り口６５を設けている。また、戻り口６５は、冷蔵室２６内の上下に設けた複数個の棚板４５の最下段の棚板４５の下方に設け、冷蔵室ケース４６の後方に配置している。
【００７１】
戻り口６５は、冷蔵室ダクト４０の化粧カバー３８と一体化され、この戻り口６５の出口６６側は、断熱仕切壁２５の下方の冷却器室３０に開口され、冷却器３２で熱交換された冷気４１がファン３４の上流側に流入するようにしている。冷蔵室ダクト４０の断熱部３９は、冷気通路４２の周囲を構成し、この戻り口６５の周囲には、設けないようにして、冷気通路４２内の冷気４１と戻り口６５に戻る冷気４１を分離するようにしている。
【００７２】
以上のように構成された冷蔵庫において、その動作、作用を説明する。
【００７３】
冷蔵室２６内を循環する冷気４１の戻り口６５を設けたことにより、冷蔵室２６内に流入する冷気４１と戻り口６５に流入した冷気４１との接触を防止し、冷蔵室２６内に流入する冷気４１の温度上昇を防止するようにしている。戻り口６５は、冷蔵室ダクト４０の下部の冷蔵室ケース４６の後方に設けて、冷蔵室ダクト４０の側部の冷気吹き出し口４４から冷蔵室２６内に吹き出す冷気４１がショートサーキットで戻り口６５に戻らないようにしている。
【００７４】
以上のように、本実施の形態においては、冷蔵室ダクト４０は、下部に冷気通路４２と隔離され、冷蔵室２６内を循環する冷気４１の戻り口６５を設けたので、冷蔵室２６内に流入する冷気４１と戻り口６５に流入した冷気４１との接触を防止し、冷蔵室２６内に流入する冷気４１の温度上昇を防止することができる。
【００７５】
また、戻り口６５は、冷蔵室２６内の上下に設けた複数個の棚板４５の最下段の棚板４５の下方に設け、冷蔵室ケース４６の後方に配置しているので、冷蔵室ダクト４０の冷気吹き出し口４４からの冷気４１のショートサーキットを防止し、消費電力の低減を行うことができる。
【産業上の利用可能性】
【００７６】
以上のように、本発明にかかる冷蔵庫は、照明手段を設けた冷蔵室ダクト構成を実現し、冷蔵庫内の温度分布を均一化するとともに収納物の認識を向上したので、家庭用の冷蔵庫だけでなく、業務用の冷蔵庫等にも適用できる。
【符号の説明】
【００７７】
２０  冷蔵庫本体
２１  内箱
２２  外箱
２５  断熱仕切壁
２６  冷蔵室
２７  冷凍室
２８  冷蔵室ドア
２９  冷凍室ドア
３２  冷却器
３４  送風機
３９  断熱部
４０  冷蔵室ダクト
４２  冷気通路
４３  上部冷気吹き出し口
４４  冷気吹き出し口
４５  棚板
４８  照明手段
４９  凹み部
５１  半導体発光素子
【図１】
0005533074.tif 000002
【図２】
0005533074.tif 000003
【図３】
0005533074.tif 000004
【図４】
0005533074.tif 000005
【図５】
0005533074.tif 000006
【図６】
0005533074.tif 000007